【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
第1の分周信号を生成するために第1の周期信号を分周するように構成された第1の分周器を有する第1の回路経路と、
第2の分周信号を生成するために第2の周期信号を分周するように構成された第2の分周器を有する第2の回路経路と、
前記第1および第2の回路経路に結合され、
前記第1の分周信号に基づく第1の検知信号の位相と前記第2の分周信号に基づく第2の検知信号の位相とを比較し、
前記第1および第2の検知信号の位相がずれている場合、第1のトリガ信号を生成するように構成された位相検出回路と、
前記位相検出回路に結合され、前記第1の分周信号の位相を調整するために前記第1のトリガ信号に応答して少なくとも1サイクルの間、前記第1の周期信号のパルスを抑制するように構成された第1のパルス抑制回路と
を備える装置。
【請求項２】
前記第1の検知信号が前記第1の分周信号であり、前記第2の検知信号が前記第2の分周信号である、または、前記第1の検知信号が前記第1の分周信号のバッファリングされたバージョンであり、前記第2の検知信号が前記第2の分周信号のバッファリングされたバージョンである、請求項1に記載の装置。
【請求項３】
前記位相検出回路に結合された第2のパルス抑制回路をさらに備え、前記位相検出回路が、前記第1および第2の検知信号の位相がずれている場合に第2のトリガ信号を生成するように構成され、前記第2のパルス抑制回路が、前記第2の分周信号の位相を調整するために前記第2のトリガ信号に応答して少なくとも1サイクルの間、前記第2の周期信号のパルスを抑制するように構成された、請求項1に記載の装置。
【請求項４】
第3の分周信号を生成するために前記第1の分周信号を分周するように構成された第3の分周器であって、前記第1の検知信号が前記第3の分周信号である、第3の分周器と、
第4の分周信号を生成するために前記第2の分周信号を分周するように構成された第4の分周器であって、前記第2の検知信号が前記第4の分周信号である、第4の分周器とをさらに備える、請求項1に記載の装置。
【請求項５】
前記位相検出回路に結合された第2のパルス抑制回路をさらに備え、前記位相検出回路が、前記第1および第2の検知信号の位相がずれている場合に第2のトリガ信号を生成するように構成され、前記第2のパルス抑制回路が、前記第3の分周信号の位相を調整するために前記第2のトリガ信号に応答して少なくとも1サイクルの間、前記第1の分周信号のパルスを抑制するように構成された、請求項4に記載の装置。
【請求項６】
前記位相検出回路に結合された第3のパルス抑制回路をさらに備え、前記位相検出回路が、前記第1および第2の検知信号の位相がずれている場合に第3のトリガ信号を生成するように構成され、前記第3のパルス抑制回路が、前記第2の分周信号の位相を調整するために前記第3のトリガ信号に応答して少なくとも1サイクルの間、前記第2の周期信号のパルスを抑制するように構成された、請求項5に記載の装置。
【請求項７】
前記位相検出回路に結合された第4のパルス抑制回路をさらに備え、前記位相検出回路が、前記第1および第2の検知信号の位相がずれている場合に第4のトリガ信号を生成するように構成され、前記第4のパルス抑制回路が、前記第4の分周信号の位相を調整するために前記第4のトリガ信号に応答して少なくとも1サイクルの間、前記第2の分周信号のパルスを抑制するように構成された、請求項6に記載の装置。
【請求項８】
第3の分周信号を生成するために前記第1の分周信号を分周するように構成された第3の分周器であって、前記第1の検知信号が前記第3の分周信号のバッファリングされたバージョンである、第3の分周器と、
第4の分周信号を生成するために前記第2の分周信号を分周するように構成された第4の分周器であって、前記第2の検知信号が前記第4の分周信号のバッファリングされたバージョンである、第4の分周器とをさらに備える、請求項1に記載の装置。
【請求項９】
第3の分周信号を生成するために第3の周期信号を分周するように構成された第3の分周器を有する第3の回路経路であって、前記位相検出回路が前記第3の回路経路にさらに結合され、
前記第3の分周信号に基づく第3の検知信号の位相と前記第1の検知信号または前記第2の検知信号のいずれかの位相とを比較し、
前記第3の検知信号と前記第1または第2の検知信号のいずれかの位相がずれている場合にそれぞれ第2のトリガ信号を生成するようにさらに構成された、第3の回路経路と、
前記位相検出回路に結合され、前記第3の分周信号の位相を調整するために前記第2のトリガ信号に応答して少なくとも1サイクルの間、前記第3の周期信号のパルスを抑制するように構成された第2のパルス抑制回路と
をさらに備える、請求項1に記載の装置。
【請求項１０】
前記第1のパルス抑制回路が、
複数の遅延(D)フリップフロップと、前記第1の周期信号と前記第1のトリガ信号とに基づいてゲーティングパルスを生成するために前記複数のDフリップフロップの出力とインターフェースされた第1の組合せロジックと、
前記第1の組合せロジックの出力および前記第1の周期信号とインターフェースされ、前記ゲーティングパルスに基づいて前記少なくとも1サイクルの間、前記第1の周期信号の前記パルスを抑制するように構成された第2の組合せロジックと
を備える、請求項1に記載の装置。
【請求項１１】
前記位相検出回路が、
前記第1および第2の検知信号を受信するように構成された排他的論理和(XOR)ロジックと、
前記XORロジックに結合された1つまたは複数のローパスフィルタと、
前記1つまたは複数のローパスフィルタに結合され、前記第1のトリガ信号を含む前記位相検出回路の1つまたは複数の出力を生成するように構成された1つまたは複数の比較器と
を備える、請求項1に記載の装置。
【請求項１２】
前記位相検出回路が、前記装置がリセットまたは電源入れ直しされた場合に前記第1および第2の検知信号の前記位相を比較するように構成された、請求項1に記載の装置。
【請求項１３】
前記第1の分周器が、前記第1の分周信号のIバージョンおよびQバージョンを生成するように構成された第1の同相/直交(I/Q)分周器を備え、
前記第2の分周器が、前記第2の分周信号のIバージョンおよびQバージョンを生成するように構成された第2のI/Q分周器を備え、
前記第1の検知信号が、前記第1の分周信号の前記Iバージョンに基づき、前記第2の検知信号が、前記第2の分周信号の前記Iバージョンに基づく、請求項1に記載の装置。
【請求項１４】
電圧制御発振器(VCO)と、
前記VCOの出力信号から前記第1の周期信号を生成するように構成された第1の増幅器と、
前記VCOの前記出力信号から前記第2の周期信号を生成するように構成された第2の増幅器と
をさらに備える、請求項1に記載の装置。
【請求項１５】
複数の周期信号を生成する方法であって、
第1の分周信号を生成するために第1の周期信号を分周するステップと、
第2の分周信号を生成するために第2の周期信号を分周するステップと、
前記第1の分周信号に基づく第1の検知信号の位相を前記第2の分周信号に基づく第2の検知信号の位相と比較するステップと、
前記第1および第2の検知信号の位相がずれている場合に第1のトリガ信号を生成するステップと、
前記第1の分周信号の位相を調整するために前記第1のトリガ信号に応答して少なくとも1サイクルの間、前記第1の周期信号のパルスを抑制するステップと
を備える方法。